(57)【要約】【課題】ピクチャーインピクチャー等を用いて複数の番組映像を同時に出力するテレビジョン放送信号受信装置において、子画面を視聴し易くする。【解決手段】親画面５１及び子画面５２を出力する際に、子画面５２の映像信号４０の解像度やテレビジョン放送信号の種類に応じて映像信号４０のＶＢＩ部４０ｂをカットし、このＶＢＩ部４０ｂをカットした後の映像信号４０について画像サイズを圧縮して子画面５２として出力することにより、ＶＢＩ部４０ｂがノイズのように子画面５２に取り込まれて表示されることがなく、美しい子画面５２を得ることができ、視聴し易くすることができる。【選択図】  図３
2005348074.tif 000002
【特許請求の範囲】
【請求項１】
複数チャンネルのテレビジョン放送信号を受信する受信手段と、
前記受信手段により受信した各チャンネルのテレビジョン放送信号に含まれる映像信号及び音声信号を復号化するＡＶ信号復号化手段と、
前記ＡＶ信号復号化手段により復号化された複数の映像信号に所定処理を施すことにより、所定チャンネルの映像信号を親画面として出力すると共に、該所定チャンネル以外のチャンネルの映像信号を、その画像サイズを圧縮して、前記親画面の一部分に子画面として出力する映像出力手段と、
前記映像出力手段により前記親画面及び子画面を出力する際に、前記ＡＶ信号復号化手段により復号化された前記親画面に関連する音声信号を出力する音声出力手段と、
前記受信手段により受信したテレビジョン放送信号から文字情報を抽出し、該抽出された文字情報を前記映像信号に重ねて出力する文字情報出力手段と、
を備えたテレビジョン放送信号受信装置において、
前記映像出力手段は、
前記親画面及び前記子画面を出力する際に、前記子画面の映像信号の解像度、及び／又は該子画面のテレビジョン放送信号の種類に応じて、この映像信号のＶＢＩ（Vertical  Blanking  Interval）部をカットし、該ＶＢＩ部をカットした後の映像信号について画像サイズを圧縮して子画面として出力し、
前記文字情報出力手段は、
前記子画面に関する文字情報を出力する際に、この文字情報を前記親画面上に一行ずつロールアップさせながら出力することを特徴とするテレビジョン放送受信装置。
【請求項２】
複数チャンネルのテレビジョン放送信号を受信して該テレビジョン放送信号に含まれる映像信号を復号化し、所定チャンネルの映像信号を親画面として出力すると共に、該所定チャンネル以外のチャンネルの映像信号を、その画像サイズを圧縮して前記親画面の一部分に子画面として出力するテレビジョン放送信号受信装置において、
前記親画面及び前記子画面を出力する際に、前記子画面の映像信号の解像度、及び／又は該子画面のテレビジョン放送信号の種類に応じてこの映像信号のＶＢＩ部をカットし、該ＶＢＩ部をカットした後の映像信号について画像サイズを圧縮して子画面として出力することを特徴とするテレビジョン放送信号受信装置。  
【請求項３】
前記子画面に関するテレビジョン放送信号から文字情報を抽出し、この抽出された文字情報を、前記親画面上に表示することを特徴とする請求項２に記載のテレビジョン放送受信装置。
【発明の詳細な説明】
【技術分野】
【０００１】
本発明はテレビジョン放送信号受信装置に関し、例えば、ピクチャーインピクチャー（ＰｉｎＰ）等を用いて複数の番組映像を同時に出力する場合に好適なテレビジョン放送信号受信装置に関する。
【背景技術】
【０００２】
従来から、表示画面を複数の領域に分割し、複数の番組映像を同時に出力することができる、いわゆる、ピクチャーインピクチャー（ＰｉｎＰ）や、ピクチャーアウトピクチャー（ＰｏｕｔＰ）等の機能を備えたテレビジョン（ＴＶ）放送信号受信装置が知られている。ＰｉｎＰは画像サイズを圧縮した子画面を親画面の一部分に表示するものであり、ＰｏｕｔＰは画像サイズを圧縮した子画面を親画面の外側に表示するものである。
【０００３】
ところで、アナログＴＶ放送信号の映像信号には、映像と共にＶＢＩ（Vertical  Blanking  Interval）部が存在する。従来、ＰｉｎＰ表示等する場合においては、ＶＢＩ部を含んだまま映像信号を圧縮し、子画面として表示していた。このため、図５に示されるように、モニタ装置２のモニタ画面２０内に表示させた子画面１５２にＶＢＩ部がノイズ１５２ａのように表示される場合があり、ＶＢＩ部が目立ってしまい、子画面１５２が視聴しづらくなってしまっていた。また、ディジタルＴＶ放送信号の場合であっても、アナログＴＶ放送のＴＶ番組をディジタルにコンバートして放送していることがあり、このような場合には、子画面１５２として表示される映像に元の映像信号に含まれるＶＢＩ部がノイズ１５２ａのように表示される場合があった。
【０００４】
また、従来から、日本における文字放送や、米国におけるクローズドキャプション等のように、ＴＶ放送信号に文字情報を多重化して伝送することが行われているが、子画面について文字情報を表示する場合、図６に示されるように、子画面１５２の画像サイズは親画面１５１に比べて圧縮されているため、文字情報１５３が小さく読みづらいものとなり子画面１５２が視聴しづらかった。
【０００５】
ところで、ＰｉｎＰ表示を行った場合の子画面内の字幕を、親画面内に移動して拡大表示することができるようにした装置が知られている（例えば、特許文献１乃至特許文献３参照）。また、親画面に関連する音声信号を音声出力しながら、子画面の文字情報を親画面上に出力することにより、親子両画面を同時に楽しむことができるようにした装置が知られている（例えば、特許文献４参照）。  また、ＥＰＧ画面と同時にリアルタイムに映像を出力するための装置も知られている（例えば、特許文献５参照）。
【特許文献１】特開平６−４６３５０号公報
【特許文献２】特開平６−２９２０９９号公報
【特許文献３】特開平７−２３６１００号公報
【特許文献４】特開平７−１８４１３５号公報
【特許文献５】特開２００１−８２３６号公報
【発明の開示】
【発明が解決しようとする課題】
【０００６】
しかしながら、特許文献１乃至特許文献５に示される装置は、いずれも映像信号に含まれるＶＢＩ部を原因とする、子画面におけるノイズの発生を防止することができるものではなく、十分に子画面を視聴し易くすることができるものではなかった。
【０００７】
本発明は、上記課題を解決するためになされたものであり、映像信号に含まれるＶＢＩ部を原因とするノイズの発生を防止して、子画面を視聴し易くすることができるテレビジョン放送信号受信装置を提供することを目的とする。
【課題を解決するための手段】
【０００８】
上記目的を達成するために請求項１の発明は、複数チャンネルのテレビジョン放送信号を受信する受信手段と、前記受信手段により受信した各チャンネルのテレビジョン放送信号に含まれる映像信号及び音声信号を復号化するＡＶ信号復号化手段と、前記ＡＶ信号復号化手段により復号化された複数の映像信号に所定処理を施すことにより、所定チャンネルの映像信号を親画面として出力すると共に、該所定チャンネル以外のチャンネルの映像信号を、その画像サイズを圧縮して、前記親画面の一部分に子画面として出力する映像出力手段と、前記映像出力手段により前記親画面及び子画面を出力する際に、前記ＡＶ信号復号化手段により復号化された前記親画面に関連する音声信号を出力する音声出力手段と、前記受信手段により受信したテレビジョン放送信号から文字情報を抽出し、該抽出された文字情報を前記映像信号に重ねて出力する文字情報出力手段とを備えたテレビジョン放送信号受信装置において、前記映像出力手段は、前記親画面及び前記子画面を出力する際に、前記子画面の映像信号の解像度、及び／又は該子画面のテレビジョン放送信号の種類に応じて、この映像信号のＶＢＩ（Vertical  Blanking  Interval）部をカットし、該ＶＢＩ部をカットした後の映像信号について画像サイズを圧縮して子画面として出力し、前記文字情報出力手段は、前記子画面に関する文字情報を出力する際に、この文字情報を前記親画面上に一行ずつロールアップさせながら出力することを特徴とする。
【０００９】
請求項２の発明は、複数チャンネルのテレビジョン放送信号を受信して該テレビジョン放送信号に含まれる映像信号を復号化し、所定チャンネルの映像信号を親画面として出力すると共に、該所定チャンネル以外のチャンネルの映像信号を、その画像サイズを圧縮して前記親画面の一部分に子画面として出力するテレビジョン放送信号受信装置において、前記親画面及び前記子画面を出力する際に、前記子画面の映像信号の解像度、及び／又は該子画面のテレビジョン放送信号の種類に応じてこの映像信号のＶＢＩ部をカットし、該ＶＢＩ部をカットした後の映像信号について画像サイズを圧縮して子画面として出力することを特徴とする。
【００１０】
請求項３の発明は、請求項２に記載のテレビジョン放送信号受信装置において、前記子画面に関するテレビジョン放送信号から文字情報を抽出し、この抽出された文字情報を、前記親画面上に表示することを特徴とする。
【発明の効果】
【００１１】
以上のように請求項１の発明によれば、子画面の映像信号の解像度やテレビジョン放送信号の種類に応じて映像信号のＶＢＩ部をカットし、ＶＢＩ部をカットした後の映像信号について画像サイズを圧縮して子画面として出力するようにしたので、ＶＢＩ部がノイズのように子画面に取り込まれて表示されることがなく、美しい画像を得ることができ、子画面を視聴し易くすることができる。
【００１２】
また、親画面及び子画面を出力する際、親画面ついては音声信号を出力し、子画面については文字情報を親画面上に拡大表示するようにしたので、親子両画面を同時に楽しむことができると共に、子画面に関する文字情報が読み取り易くなり、子画面を視聴し易くすることができる。
【００１３】
請求項２の発明によれば、子画面の映像信号の解像度やテレビジョン放送信号の種類に応じて映像信号のＶＢＩ部をカットし、ＶＢＩ部をカットした後の映像信号について画像サイズを圧縮して子画面として出力するようにしたので、ＶＢＩ部がノイズ等のように子画面に取り込まれて表示されることがなく、美しい画像を得ることができ、子画面が視聴し易くなる。
【００１４】
請求項３の発明によれば、子画面に関する文字情報を親画面上に拡大表示するので、文字情報が読み取り易くなり、子画面が視聴し易くなる。
【発明を実施するための最良の形態】
【００１５】
本発明の一実施形態に係るテレビジョン（ＴＶ）放送信号受信装置について図１乃至図４を参照して説明する。図１に示されるように、ＴＶ放送信号受信装置１は、放送局から配信されるディジタルＴＶ放送信号やアナログＴＶ放送信号をアンテナ１０を介して受信し、ＴＶ放送信号に含まれる映像信号及び音声信号をモニタ装置２に出力する装置であり、複数のチューナ１１，１２と、ＡＴＳＣフロントエンド１３と、ＮＴＳＣデコーダ１４と、映像・音声処理部１５と、オンスクリーンディスプレイ部（ＯＳＤ）１６と、メモリ１７と、制御部（ＣＰＵ）１８とを備えている。
【００１６】
ＴＶ放送信号受信装置１には、放送局から所定周波数の高周波電波で発信されるＴＶ放送信号を受信するためのアンテナ１０と、ＴＶ番組の映像を映し出すと共に音声を出力するモニタ装置２と、ＴＶ放送信号受信装置１との間で映像信号及び音声信号を入出力するためのハードディスクドライブ（ＨＤＤ）装置３等が接続される。
【００１７】
各チューナ（受信手段）１１，１２は、その受信周波数を、ユーザにより選局されたチャンネルに対応する周波数に同調させることにより、選局されたチャンネルのＴＶ放送信号をアンテナ１０を介して受信する。
【００１８】
ＡＴＳＣフロントエンド（ＡＶ信号復号化手段）１３は、チューナ１１，１２で受信したディジタルＴＶ放送信号の復調、誤り訂正処理を行い、多重化された信号の中から必要なＴＳ（Transport  Stream）パケットを分離し、ＴＶ放送信号受信装置１内の各ブロックへ、それぞれ必要なＴＳパケットを供給する。
【００１９】
ＮＴＳＣデコーダ（ＡＶ信号復号化手段）１４は、チューナ１１，１２で受信したアナログＴＶ放送信号を復号化し、復号化した映像信号をディジタル信号に変換して映像・音声処理部１５に出力する。
【００２０】
映像・音声処理部１５は、ＡＴＳＣフロントエンド１３から入力される映像信号及び音声信号を含むＴＳパケットをデコードするＭＰＥＧ映像デコーダ及びＭＰＥＧ音声デコーダと、ＡＴＳＣフロントエンド１３及びＮＴＳＣデコーダ１４から入力される文字情報を含む信号をデコードして文字情報を抽出する文字情報デコーダと、ＭＰＥＧ映像デコーダによりデコードされた映像信号及びＮＴＳＣデコーダ１４から入力された映像信号を合成して親画面及び子画面を生成すると共に、合成された画面に文字情報デコーダによりデコードされた文字情報を合成するＰｉｎＰ回路とを備えている。
【００２１】
映像・音声処理部１５で処理された映像信号は、オンスクリーンディスプレイ部１６を介してモニタ装置２に出力され、モニタ画面２０に映像が表示される。また、映像・音声処理部１５で処理された音声信号はモニタ装置２に出力され、スピーカ２１から音声出力される。このように、映像・音声処理部１５は、映像出力手段、音声出力手段、及び文字情報出力手段として機能する。なお、映像・音声処理部１５には、チューナ１１，１２を介して受信した映像信号及び音声信号が入力される他、ＨＤＤ装置３等の外部装置から外部入力端子を介して映像信号及び音声信号が入力される。
【００２２】
オンスクリーンディスプレイ部１６は、映像・音声処理部１５から入力された映像信号に所定の表示画像を重畳させる。メモリ１７は、ＭＰＥＧデコードされた映像信号や、文字情報デコーダによりデコードされた文字情報を一時的に記憶する他、デコードされた映像信号に重畳させる表示画像を記憶する。制御部１８は、不図示のＲＯＭに記憶されているプログラムに従って各種処理を実行し、ＡＴＳＣフロントエンド１３やＮＴＳＣデコーダ１４等、ＴＶ放送信号受信装置１全体を制御する。
【００２３】
次に、複数チャンネルのＴＶ放送信号を受信してＰｉｎＰ表示する場合のＴＶ放送信号受信装置１の処理について、ディジタルＴＶ放送信号及びアナログＴＶ放送信号を受信した場合を例に説明する。
【００２４】
チューナ１１は所定チャンネルのアナログＴＶ放送信号を受信し、受信したアナログＴＶ放送信号をＮＴＳＣデコーダ１４に出力する。ＮＴＳＣデコーダ１４に入力されたアナログＴＶ放送信号は復号化され、ディジタル信号に変換された映像信号が映像・音声処理部１５に入力される。一方、チューナ１２は所定チャンネルのディジタルＴＶ放送信号を受信し、受信したディジタルＴＶ放送信号をＡＴＳＣフロントエンド１３に出力する。ＡＴＳＣフロントエンド１３に入力されたディジタルＴＶ放送信号は、ＴＳパケットとして抽出され、映像・音声処理部１５等に入力される。映像・音声処理部１５に入力された映像信号及び音声信号を含むＴＳパケットは、ＭＰＥＧ映像デコーダ及びＭＰＥＧ音声デコーダでＭＰＥＧデコードされる。また、アナログＴＶ放送信号及びディジタルＴＶ放送信号に含まれる文字情報は、文字情報デコーダによりデコードされ、文字情報が抽出される。
【００２５】
映像・音声処理部１５は、ＮＴＳＣデコーダ１４でディジタル信号に変換された映像信号、ＭＰＥＧ映像デコーダでＭＰＥＧデコードされた映像信号、及び文字情報デコーダでデコードされた文字情報を合成してモニタ装置２に出力するための映像を生成する。図２に、映像・音声処理部１５で行われるＰｉｎＰ処理のフローチャートを示す。まず、映像・音声処理部１５は子画面として表示される映像信号の解像度等に応じて、この映像信号のＶＢＩ部をカットする（Ｓ１）。そして、このＶＢＩ部をカットした後の映像信号を所定の画像サイズに圧縮し（Ｓ２）、圧縮された映像信号を親画面として表示される映像信号の一部分に合成する（Ｓ３）。そして、文字情報デコーダにより抽出された子画面に関する文字情報を、親画面として表示される映像領域に合成する（Ｓ４）。
【００２６】
ところで、ＶＢＩ部が存在すると想定される場所は、アナログ、ディジタル４８０ｉ、ディジタル４８０ｐ、ディジタル７２０ｐ、ディジタル１０８０ｉ等、解像度やＴＶ放送信号の種類によって異なってくる。そこで、本実施形態のＴＶ放送信号受信装置１では、上記Ｓ１において、映像信号の解像度やＴＶ放送信号の種類に応じて、映像信号のＶＢＩ部をカットする。アナログＴＶ放送の場合、図３（ａ）に示されるように、映像信号４０には映像４０ａと共にＶＢＩ部４０ｂが存在する。従来のＰｉｎＰ処理においては、映像信号４０をそのまま子画面に圧縮して表示していたため、図５に示されるように、子画面１５２にＶＢＩ部４０ｂがノイズ１５２ａのように取り込まれてしまう場合があった。
【００２７】
本実施形態のＴＶ放送信号受信装置１においては、図３（ｂ）に示されるように、ＶＢＩ部４０ｂをカットした後の映像信号４０を圧縮して子画面５２を形成し、親画面５１に合成してモニタ装置２に出力するようにする。また、アナログＴＶ放送のＴＶ番組をディジタルにコンバートして放送しているディジタルＴＶ放送については、例えば、以下の表１に示されるように、映像信号の解像度に応じてＶＢＩ部をカットして子画面を形成する。例えば、表１において、映像信号の解像度が１９２０ｐｉｘｅｌ×１０８０ｐｉｘｅｌの場合、子画面として表示する映像領域を、開始座標（１００，５８）及び終了座標（１８１９，１０２１）で囲まれる矩形領域に制限して、他の部分をカットする。
【００２８】
【表１】
2005348074.tif 000003
【００２９】
このように映像信号の解像度やＴＶ放送信号の種類に応じて、映像信号のＶＢＩ部をカットし、ＶＢＩ部をカットした後の映像信号について画像サイズを圧縮して子画面５２として出力するようにしたので、ＶＢＩ部がノイズのように子画面５２に取り込まれて表示されることがない。すなわち、図３（ｂ）の点線で示される領域５２ａにＶＢＩ部が表示されることがなく、美しい画像を得ることができ、子画面５２を視聴し易くすることができる。
【００３０】
また、図４（ａ）（ｂ）に示されるように、親画面５１及び子画面５２を出力する際に、親画面５１に関連する音声信号をモニタ装置２に出力して、スピーカ２１から音声出力すると共に、子画面５２に関する文字情報５３を、上記ＰｉｎＰ処理により親画面５１上に合成して表示する。この際、子画面５２に関する文字情報は、ロールアップスタイルにより親画面５１上に拡大表示される。なお、ここでロールアップスタイルとは、ＥＩＡ６０８に記載されるクローズドキャプションデータ（文字情報）の表示形式の１つであり、受け取った文字情報をモニタ画面２０に即座に表示し、改行（Carrige  Return）コードを受け取ると表示されている文字情報が１行ずつ繰り上がる方式である。例えば、図４（ａ）に示されるように、文字情報５３が２行のテキストとして表示されている際に改行コードを受信した場合、２行目のテキスト”and the baby of a bear is playing”を１行目に移動し、新たに受信したテキスト”in the waterfront”を２行目に表示して図４（ｂ）に示されるように文字情報５３をロールアップする。
【００３１】
このように、親画面５１及び子画面５２を出力する際、親画面５１ついては音声信号を出力し、子画面５２については文字情報を親画面５１上に拡大表示するようにしたので、親子両画面５１，５２を同時に楽しむことができると共に、子画面５２に関する文字情報が読み取り易くなり、子画面５２を視聴し易くすることができる。
【００３２】
なお、本発明は上記実施形態の構成に限られることなく種々の変形が可能である。例えば、上記実施形態においては、アナログＴＶ放送信号及びディジタルＴＶ放送信号を受信してＰｉｎＰ表示する場合について説明したが、アナログＴＶ放送信号とアナログＴＶ放送信号の組み合わせ、又はディジタルＴＶ放送信号とディジタルＴＶ放送信号の組み合わせであってもよい。また、文字情報を表示する方式としては、ロールアップスタイルに限られず、ＥＩＡ６０８に記載されるペイントオンスタイルやポップオンスタイルであってもよい。なお、ペイントオンスタイルとは、受け取った文字情報をモニタ画面に即座に表示する方式であり、ポップオンスタイルとは、受け取った文字情報をメモリ１７に記憶し、メモリ表示（End  of  Caption）コードを受け取るとメモリ１７に記憶した文字情報をモニタ画面２０に表示する方式である。また、子画面５２は１つでなくともよく、例えば、ＨＤＤ装置３から入力された映像信号を親画面又は子画面として表示し、チューナ１１，１２で受信したチャンネルの映像信号を、それぞれ親画面又は子画面として表示することにより、子画面を２つ以上表示するようにしてもよい。
【図面の簡単な説明】
【００３３】
【図１】本発明の一実施の形態に係るテレビジョン放送信号受信装置の構成を示すブロック図。
【図２】同受信装置のＰｉｎＰ処理を示すフローチャート。
【図３】（ａ）はアナログテレビジョン放送信号の説明図、（ｂ）は同受信装置に接続されたモニタ装置のＰｉｎＰ表示画面を示す図。
【図４】（ａ）（ｂ）は同受信装置において、子画面に関する文字情報の表示例を示す図であり、（ａ）は同文字情報をロールアップする前の図、（ｂ）は同文字情報をロールアップした後の図。
【図５】従来例によるテレビジョン放送信号受信装置において、同受信装置に接続されたモニタ装置のＰｉｎＰ表示画面を示す図。
【図６】従来例によるテレビジョン放送信号受信装置におけて、子画面に関する文字情報の表示例を示す図。
【符号の説明】
【００３４】
１    テレビジョン放送信号受信装置
２    モニタ装置
１０  アンテナ
１１，１２  チューナ（受信手段）
１３  ＡＴＳＣフロントエンド（ＡＶ信号復号化手段）
１４  ＮＴＳＣデコーダ（ＡＶ信号復号化手段）
１５  映像・音声処理部（映像出力手段、音声出力手段、文字情報出力手段）
１６  オンスクリーンディスプレイ部
１７  メモリ
１８  制御部
５１  親画面
５２  子画面
【図１】
2005348074.tif 000004
【図２】
2005348074.tif 000005
【図３】
2005348074.tif 000006
【図４】
2005348074.tif 000007
【図５】
2005348074.tif 000008
【図６】
2005348074.tif 000009